(57)【要約】      （修正有）【課題】社会的要求の強いＡＥＤを急速に普及させることができるＡＥＤ内蔵収納ボックス無料設置装置を提供する。【解決手段】ＡＥＤ本体をボックスに収納し、そのボックスに広告を掲載することで広告収入が得られ、これらの原資を基にＡＥＤ内蔵収納ボックスが無料で設置可能になる。ＡＥＤ収納ボックスは広告媒体として構成されており、固定広告として、正面部１０１、側面右側部１０２、側面左側部１０３、そして動作広告として表示機部１０４から構成されている。【選択図】図１
0003149313.tif 000002
【実用新案登録請求の範囲】
【請求項１】
自動体外式除細動器（以後ＡＥＤ）は心拍停止状態になった患者を救う救命救急装置として市民が使用できることが可能になった、一般的には価格が高く、急速な普及が難しいと考えられている。そこでＡＥＤ本体をボックスに収納し、そのボックスに広告を掲載することで、広告収入から無料設置することを考案した。
ＡＥＤを急速に普及させる方法として、広告付きＡＥＤボックス無料設置を特徴とする方法である。
【請求項２】
請求項１を実施するための方法であって、ＡＥＤ収納ボックスの正面部（１０１）、側面右側部（１０２）、及び側面左側部（１０３）に印刷等の固定広告と、表示機部（１０４）に文字を流す動作広告を特徴とする装置である。
【考案の詳細な説明】
【技術分野】
【０００１】
ＡＥＤ本体が単体で保管されていては、いざという時には誰も使えない。
突然の心拍停止にはその場に居合わせた人の、いち早い救命救急活動が重要になり、日頃から目にする場所にＡＥＤ収納ボックスを設置することで迅速な処置が可能になる。
【背景技術】
【０００２】
ＡＥＤ収納ボックスの上部に、４ヶ国語対応の蛍光表示機を搭載し、ＡＥＤに関する説明、避難場所の告知、そして広告媒体として広告告知を行う。
【０００３】
蛍光表示機での広告告知は、ＡＥＤの説明、避難場所の告知等と自由に組み合わせて表示することで注目度を向上させることが出来る。
【０００４】
ＡＥＤボックスはすでに現存しているが、可動部分もなく人目につくという観点から考えると効果的ではない。
ＡＥＤボックス設置の存在感を示す方法、ＡＥＤに関する説明等をＡＥＤボックスに印刷張り合わせているが効果的ではない。
【０００５】
ＡＥＤ本体あるいはＡＥＤボックスを設置する方法として、買取、リース、レンタル等が一般的である。しかし、価格が高く急速な普及が難しいと考えらる。
【考案の開示】
【考案が解決しようとする課題】
【０００６】
ＡＥＤ本体が単体で保管されていては、いざという時には誰も使えない。
突然の心拍停止にはその場に居合わせた人の、いち早い救命救急活動が重要になり、日頃から目にする場所にあり、目立つことで、ＡＥＤ収納ボックスを認識しいざという時に迅速な処置が可能になる。
【０００７】
ＡＥＤ本体は高価で、メンテナンスへの抵抗感もあり、またＡＥＤ本体の使用有効期間も５年がほとんどであり、ＡＥＤ本体の社会的必要性の認識は高くても、急速な普及は難しいと考えられる。
【課題を解決するための手段】
【０００８】
自動体外式除細動器（以後ＡＥＤ）は心拍停止状態になった患者を救う救命救急装置として市民が使用できることが可能になったが、一般的には価格が高く、急速な普及が難しいと考えられている。そこでＡＥＤ本体をボックスに収納し、そのボックスに広告を掲載する事で、広告収入から無料設置が可能になる。
ＡＥＤを急速に普及させる方法として、広告付きＡＥＤボックス無料設置を特徴とする方法である。
【０００９】
請求項１を実施するための方法であって、ＡＥＤ収納ボックスの正面（１０１）、側面右側（１０２）、及び側面左側（１０３）に印刷等の固定広告と、表示機部（１０４）に文字を流す動作広告を特徴とする装置である。
【考案の効果】
【００１０】
ＡＥＤ本体が高価であり、またメンテナンスへの抵抗感から急速な普及は困難である。ＡＥＤ本体をボックスに収納し、そのボックスに広告を掲載することで広告収入が得られ、これらの原資を基にＡＥＤ内臓収納ボックスが無料で設置可能になる。
結果として社会的要求の強いＡＥＤが急速に普及するという効果が得られる。
【考案を実施するための最良の形態】
【００１１】
ＡＥＤ収納ボックスは広告媒体として構成されている。
固定広告として、正面部（１０１）、側面右側部（１０２）、側面左側部（１０３）、そして動作広告として表示機部（１０４）から構成されている。
【００１２】
固定広告としての正面部（１０１）は、ＡＥＤ内臓収納ボックスであることの告知と、正面下部に固定広告から構成されている。
固定広告の手段としては、印刷、印刷シート、カッティングシート、インクジェット印刷等がある。
【００１３】
固定広告としての側面右側部（１０２）は、ＡＥＤ内臓収納ボックスであることの告知と、側面右側部下部に固定広告から構成されている。
固定広告の手段としては、印刷、印刷シート、カッティングシート、インクジェット印刷等がある。
【００１４】
固定広告としての側面左側部（１０３）は、ＡＥＤ内臓収納ボックスであることの告知と、側面右側部下部に固定広告から構成されている。
固定広告の手段としては、印刷、印刷シート、カッティングシート、インクジェット印刷等がある。
【００１５】
動作広告としての表示部（１０４）は正面部（１０１）の上部に搭載されており、ＡＥＤ本体と同様に立っている人の目線にある。
表示部（１０４）は文字情報を入力できる機能を持っており、自由に文字情報を変更できるし、文飾も自由に設定することが出来る。
【００１６】
動作広告としての表示部（１０４）は、概ね、ＡＥＤに関する説明、避難場所の告知、そして広告媒体としての広告告知から構成されている。
その組み合わせは自由に行うことが出来、重要情報との組み合わせで広告告知の注目度を向上させることが出来る。
【００１７】
固定広告として、正面部（１０１）、側面右側部（１０２）、側面左側部（１０３）、そして動作広告として表示機部（１０４）は、ＡＥＤボックス設置後であっても、自由にその内容を変更できる。
【００１８】
日頃から目にする場所に設置され目立つことで、ＡＥＤ内蔵収納ボックスの存在を認識しており、それと共に広告告知も一緒に脳裏に記憶され、いざという時に迅速な処置が可能になり、広告告知も脳裏に記憶され広告効果も高い。
【実施例１】
【００１９】
駅、公共施設等には急速な勢いでＡＥＤの設置が進められている。駅の場合には改札口付近に設置されている場合が多く、ホームで患者が発生した場合には時間的に間に合わない。患者が倒れてから３分が対応時間と言われているならば、ＡＥＤ本体のカバーできる距離は１５０メートル前後と思われる。
【００２０】
駅の場合、改札口付近に設置されたＡＥＤ本体は、買取かリースがほとんどと思われる。ホームへの２台目以降は、広告付きＡＥＤ内臓収納ボックス無料設置で急速に普及する可能性がある。
【００２１】
ＡＥＤ本体の使用可能期間は５年間がほとんどである。５年を経過すると必然的にＡＥＤ本体を交換しなければならない。
既にＡＥＤ本体単体で設置してある所も、そのタイミングで広告付きＡＥＤ内臓収納ボックス無料設置に変更することが考えられ、急速に普及する可能性もある。
【産業上の利用可能性】
【００２２】
現在のＡＥＤの設置台数は１０万台、１２万台と言われており、正式な台数の把握ができていないのが現状である。またそのほとんどがＡＥＤ本体だけの設置であり、盗難、いたずら等の関係で目立つような場所に設置していない。このような状況では、いざという時に誰も使うことが出来ない。
突然の心拍停止にはその場に居合わせた人の、いち早い救命救急活動が重要になり、日頃から目にする場所にＡＥＤ収納ボックスを設置することで迅速な処置が可能となる。    
ＡＥＤ本体だけで設置してある場所に関しても、そのＡＥＤ本体を広告付き収納ボックス内に移設するだけで、日頃から目にする場所にＡＥＤ内蔵収納ボックスを設置することとなり緊急時に素早く見つけることが可能になる。
【図面の簡単な説明】
【００２３】
【図１】正面部    （１０１）        ＡＥＤボックスの正面図            側面右側部（１０２）        ＡＥＤボックスの右側面図            側面左側部（１０３）        ＡＥＤボックスの左側面図            表示部    （１０４）        表示告知図
【符号の説明】
【００２４】
正面部    （１０１）        固定広告としての正収納ボックスであること
の告知と、正面下部に固定広告から構成され
ている。
側面右側部（１０２）        固定広告としての側面右側部（１０２）は、ＡＥＤ内臓収納ボックスであることの告知と、側面右側部下部に固定広告から構成されている。
側面左側部（１０３）        固定広告としての側面左側部（１０３）は、ＡＥＤ内臓収納ボックスであることの告知と、側面右側部下部に固定広告から構成されている。
表示部    （１０４）        動作広告としての表示部（１０４）は正面部（１０１）の上部に搭載されており、ＡＥＤ本体と同様に立っている人の目線にある。  
【図１】
0003149313.tif 000003
【手続補正書】
【提出日】平成20年10月17日(2008.10.17)
【手続補正１】
【補正対象書類名】実用新案登録請求の範囲
【補正対象項目名】請求項１
【補正方法】変更
【補正の内容】
【請求項１】
自動体外式除細動器（以後AED）は心拍停止状態になった患者を救う救命救急装置として市民が使用できることが可能となったが、一般的には価格が高く、急速な普及が難しいと考えられている。そこでAEDをボックスに収納し、そのボックスに広告を掲載することで広告収入を得、無料設置を可能とする広告付きAED内蔵収納ボックス無料設置装置である。
【手続補正２】
【補正対象書類名】実用新案登録請求の範囲
【補正対象項目名】請求項２
【補正方法】変更
【補正の内容】
【請求項２】
請求項１を実施するために、AED収納ボックス正面部（101）、側面右側部(102）、及び側面左側部（103）に印刷等の固定広告と、表示部（104）に文字を流す動作広告をする広告付きAED内蔵収納ボックス無料装置である。
【手続補正３】
【補正対象書類名】図面
【補正対象項目名】図１
【補正方法】変更
【補正の内容】
【図１】
0003149313.tif 000004
【手続補正書】
【提出日】平成21年1月14日(2009.1.14)
【手続補正１】
【補正対象書類名】実用新案登録請求の範囲
【補正対象項目名】請求項１
【補正方法】変更
【補正の内容】
【請求項１】
AED（自動体外式除細動器）をボックスに収納し、そのボックスに広告を掲載した広告付きAED内蔵収納ボックス無料設置装置。
【手続補正２】
【補正対象書類名】実用新案登録請求の範囲
【補正対象項目名】請求項２
【補正方法】変更
【補正の内容】
【請求項２】
請求項１に記載の広告付きAED内蔵収納ボックス無料設置装置であって、さらに前記ボックスの正面部（101）、側面右側部（102）、及び側面左側部（103）に表示した固定広告と、表示部（104）に文字を流す動作広告を掲載したことを特徴とした広告付きAED内蔵収納ボックス無料設置装置である。
【手続補正３】
【補正対象書類名】明細書
【補正対象項目名】全文
【補正方法】変更
【補正の内容】
【考案の詳細な説明】
【技術分野】
【０００１】  ＡＥＤ本体が単体で保管されていては、いざという時には誰も使えない。突然の心拍停止にはその場に居合わせた人の、いち早い救命救急活動が重要になり、日頃から目にする場所にＡＥＤ収納ボックスを設置することで迅速な処置が可能になる。
【背景技術】
【０００２】  ＡＥＤ収納ボックスの上部に、４ヶ国語対応の蛍光表示機を搭載し、ＡＥＤに関する説明、避難場所の告知、そして広告媒体として広告告知を行う。【０００３】  蛍光表示機での広告告知は、ＡＥＤの説明、避難場所の告知等と自由に組み合わせて表示することで注目度を向上させることが出来る。【０００４】  ＡＥＤボックスはすでに現存しているが、可動部分もなく人目につくという観点から考えると効果的ではない。ＡＥＤボックス設置の存在感を示す方法、ＡＥＤに関する説明等をＡＥＤボックスに印刷張り合わせているが効果的ではない。【０００５】  ＡＥＤ本体あるいはＡＥＤボックスを設置する方法として、買取、リース、レンタル等が一般的である。しかし、価格が高く急速な普及が難しいと考えらる。
【考案の開示】
【考案が解決しようとする課題】
【０００６】  ＡＥＤ本体が単体で保管されていては、いざという時には誰も使えない。突然の心拍停止にはその場に居合わせた人の、いち早い救命救急活動が重要になり、日頃から目にする場所にあり、目立つことで、ＡＥＤ収納ボックスを認識し、いざという時に迅速な処置が可能になる。【０００７】  ＡＥＤ本体は高価で、メンテナンスへの抵抗感もあり、またＡＥＤ本体の使用有効期間も５年がほとんどであり、ＡＥＤ本体の社会的必要性の認識は高くても、急速な普及は難しいと考えられる。
【課題を解決するための手段】
【０００８】  自動体外式除細動器（以後ＡＥＤ）は心拍停止状態になった患者を救う救命救急装置として市民が使用できることが可能になったが、一般的には価格が高く、急速な普及が難しいと考えられている。そこでＡＥＤ本体をボックスに収納し、そのボックスに広告を掲載する事で、広告収入から無料設置が可能になる。  ＡＥＤを急速に普及させる方法として、広告付きＡＥＤボックス無料設置を特徴とする方法である。【０００９】  請求項１を実施するための方法であって、ＡＥＤ収納ボックスの正面（１０１）、側面右側（１０２）、及び側面左側（１０３）に印刷等の固定広告と、表示機部（１０４）に文字を流す動作広告を特徴とする装置である。
【考案の効果】
【００１０】  ＡＥＤ本体が高価であり、またメンテナンスへの抵抗感から急速な普及は困難である。ＡＥＤ本体をボックスに収納し、そのボックスに広告を掲載することで広告収入が得られ、これらの原資を基にＡＥＤ内蔵収納ボックスが無料で設置可能になる。結果として社会的要求の強いＡＥＤが急速に普及するという効果が得られる。
【考案を実施するための最良の形態】
【００１１】  ＡＥＤ収納ボックスは広告媒体として構成されている。固定広告として、正面部（１０１）、側面右側部（１０２）、側面左側部（１０３）、そして動作広告として表示機部（１０４）から構成されている。【００１２】  固定広告としての正面部（１０１）は、ＡＥＤ内蔵収納ボックスであることの告知と、正面下部に固定広告から構成されている。  固定広告の手段としては、印刷、印刷シート、カッティングシート、インクジェット印刷等がある。【００１３】  固定広告としての側面右側部（１０２）は、ＡＥＤ内蔵収納ボックスであることの告知と、側面右側部下部に固定広告から構成されている。  固定広告の手段としては、印刷、印刷シート、カッティングシート、インクジェット印刷等がある。【００１４】  固定広告としての側面左側部（１０３）は、ＡＥＤ内蔵収納ボックスであることの告知と、側面右側部下部に固定広告から構成されている。  固定広告の手段としては、印刷、印刷シート、カッティングシート、インクジェット印刷等がある。【００１５】  動作広告としての表示部（１０４）は正面部（１０１）の上部に搭載されており、ＡＥＤ本体と同様に立っている人の目線にある。  表示部（１０４）は文字情報を入力できる機能を持っており、自由に文字情報を変更できるし、文飾も自由に設定することが出来る。【００１６】  動作広告としての表示部（１０４）は、概ね、ＡＥＤに関する説明、避難場所の告知、そして広告媒体としての広告告知から構成されている。  その組み合わせは自由に行うことが出来、重要情報との組み合わせで広告告知の注目度を向上させることが出来る。【００１７】  固定広告として、正面部（１０１）、側面右側部（１０２）、側面左側部（１０３）、そして動作広告として表示機部（１０４）は、ＡＥＤボックス設置後であっても、自由にその内容を変更できる。【００１８】  日頃から目にする場所に設置され目立つことで、ＡＥＤ内蔵収納ボックスの存在を認識しており、それと共に広告告知も一緒に脳裏に記憶され、いざという時に迅速な処置が可能になり、広告告知も脳裏に記憶され広告効果も高い。
【実施例１】
【００１９】  駅、公共施設等には急速な勢いでＡＥＤの設置が進められている。駅の場合には改札口付近に設置されている場合が多く、ホームで患者が発生した場合には時間的に間に合わない。患者が倒れてから３分が対応時間と言われているならば、ＡＥＤ本体のカバーできる距離は１５０メートル前後と思われる。【００２０】  駅の場合、改札口付近に設置されたＡＥＤ本体は、買取かリースがほとんどと思われる。ホームへの２台目以降は、広告付きＡＥＤ内蔵収納ボックス無料設置で急速に普及する可能性がある。【００２１】  ＡＥＤ本体の使用可能期間は５年間がほとんどである。５年を経過すると必然的にＡＥＤ本体を交換しなければならない。  既にＡＥＤ本体単体で設置してある所も、そのタイミングで広告付きＡＥＤ内蔵収納ボックス無料設置に変更することが考えられ、急速に普及する可能性もある。
【産業上の利用可能性】
【００２２】  現在のＡＥＤの設置台数は１０万台、１２万台と言われており、正式な台数の把握ができていないのが現状である。またそのほとんどがＡＥＤ本体だけの設置であり、盗難、いたずら等の関係で目立つような場所に設置していない。このような状況では、いざという時に誰も使うことが出来ない。  突然の心拍停止にはその場に居合わせた人の、いち早い救命救急活動が重要になり、日頃から目にする場所にＡＥＤ収納ボックスを設置することで迅速な処置が可能となる。    ＡＥＤ本体だけで設置してある場所に関しても、そのＡＥＤ本体を広告付き収納ボックス内に移設するだけで、日頃から目にする場所にＡＥＤ内蔵収納ボックスを設置することとなり緊急時に素早く見つけることが可能になる。
【図面の簡単な説明】
【００２３】
【図１】正面部（１０１）ＡＥＤボックスの正面図        側面右側部（１０２）ＡＥＤボックスの右側面図        側面左側部（１０３）ＡＥＤボックスの左側面図        表示部    （１０４）表示告知図
【符号の説明】
【００２４】正面部（１０１）固定広告としての正収納ボックスであることの告知と、正面下部に固定広告から構成されている。側面右側部（１０２）固定広告としての側面右側部（１０２）は、ＡＥＤ内蔵収納ボックスであることの告知と、側面右側部下部に固定広告から構成されている。側面左側部（１０３）固定広告としての側面左側部（１０３）は、ＡＥＤ内蔵収納ボックスであることの告知と、側面右側部下部に固定広告から構成されている。表示部（１０４）動作広告としての表示部（１０４）は正面部（１０１）の上部に搭載されており、ＡＥＤ本体と同様に立っている人の目線にある。